(57)【要約】【課題】液晶パネルの表示可能領域の一部に画像を表示し、残りを黒表示とした場合に、スクリーン上に投写される黒色表示部分の視覚上の違和感を低減可能な投写型表示装置を提供する。【解決手段】画像を光を利用してスクリーンに投写する投写型表示装置の画像の表示に用いられる液晶パネルであって、スクリーンに投写する画像を表示する画像表示可能領域ＤＲを区画する遮光マスク５０を備え、遮光マスク５０は、画像表示可能領域ＤＲを規定する内縁部５１ａから外側に向かって光の透過率が徐々に変化するグラデーション部５１を備える。【選択図】図２
2004029220.tif 000002
【特許請求の範囲】
【請求項１】
液晶パネルに表示した画像を光源からの光を利用してスクリーンに投写する投写型表示装置であって、
前記液晶パネルの画像表示可能領域の一部に画像が表示され、画像表示可能領域の残りが黒表示とされた状態において、前記黒表示により前記スクリーン上に投写される黒表示領域の外縁部の明るさを徐々に変化させるグラデーション手段を有する
投写型表示装置。
【請求項２】
前記グラデーション手段は、前記液晶パネルの前記スクリーンに投写する画像を表示する画像表示可能領域を区画する遮光マスクを有し、
前記遮光マスクは、前記画像表示可能領域を規定する内縁部から外側に向かって光の透過率が徐々に変化するグラデーション部を備える
請求項１に記載の投写型表示装置。
【請求項３】
前記グラデーション手段は、前記光源と前記スクリーンとの間の光路中に配置され、前記黒表示により前記スクリーン上に投写される黒表示領域の外縁部を規定する遮光部材と、
前記液晶パネルに表示される画像の形態に応じて前記遮光部材を移動させる移動手段とを有し、
前記遮光部材は、光の透過率が徐々に変化し、前記スクリーン上に投写される黒表示領域の外縁部の明るさを徐々に変化させるグラデーション部を備える
請求項１に記載の投写型表示装置。
【請求項４】
画像を光を利用してスクリーンに投写する投写型表示装置の前記画像の表示に用いられる液晶パネルであって、
前記スクリーンに投写する画像を表示する画像表示可能領域を区画する遮光マスクを備え、
前記遮光マスクは、前記画像表示可能領域を規定する内縁部から外側に向かって光の透過率が徐々に変化するグラデーション部を備える
液晶パネル。
【発明の詳細な説明】
【０００１】
【発明の属する技術分野】
本発明は、投写型表示装置およびこれに用いる液晶パネルに関する。
【０００２】
【従来の技術】
液晶パネルに表示した画像を光源からの光を利用してスクリーンに投写する投写型表示装置では、液晶パネルの外周部に光源からの光が入射するのを制限するための遮光マスクが配置されたものが知られている。液晶パネルの外周部には各種回路等が存在するため、これらがスクリーン上に投写されるのを防ぐとともに、光が入射すると動作が不安定になるのを防ぐためである。
上記の遮光マスクを備えた投写型表示装置では、遮光マスクで囲まれる領域が液晶パネルのスクリーンに投写される画像の表示可能領域となる。
【０００３】
【発明が解決しようとする課題】
ところで、遮光マスクを備えた投写型表示装置では、たとえば、液晶パネルの表示可能領域のアスペクト比が４：３である場合に、この液晶パネルの表示可能領域の全てを使用してアスペクト比が４：３の画像を表示すると、たとえば、図１５（ａ）に示すように、スクリーンＳｃ上にはアスペクト比が４：３の画像ＩＭが投写される。
一方、上記の液晶パネルにアスペクト比が１６：９の画像を表示すると、液晶パネルの表示可能領域の上下部分は黒表示され、図１５（ｂ）に示すように、アスペクト比が１６：９の画像ＩＭがスクリーンＳｃ上に投写される。
このとき、液晶パネルの黒表示部分は完全には光を遮断することができないため、スクリーンＳｃ上に表示された画像ＩＭの上下部分に黒表示領域ＢＲが写し出され、黒表示領域ＢＲは灰色表示となる。
遮光マスクの内縁部に対応する黒表示領域ＢＲの外縁部Ｂｄは、コントラストがハッキリとしており、画像ＩＭを視聴したときに、視覚に違和感を与える可能性がある。
【０００４】
本発明は、上記した問題に鑑みてなされたものであって、その目的は、投写型表示装置の液晶パネルの表示可能領域の一部に画像を表示し、残りを黒表示とした場合に、スクリーン上に投写される黒色表示部分の視覚上の違和感を低減可能な投写型表示装置およびこれに用いる液晶パネルを提供することにある。
【０００５】
【課題を解決するための手段】
本発明の投写型表示装置は、液晶パネルに表示した画像を光源からの光を利用してスクリーンに投写する投写型表示装置であって、前記液晶パネルの画像表示可能領域の一部に画像が表示され、画像表示可能領域の残りが黒表示とされた状態において、前記黒表示により前記スクリーン上に投写される黒表示領域の外縁部の明るさを徐々に変化させるグラデーション手段を有する。
【０００６】
好適には、前記グラデーション手段は、前記液晶パネルの前記スクリーンに投写する画像を表示する画像表示可能領域を区画する遮光マスクを有し、前記遮光マスクは、前記画像表示可能領域を規定する内縁部から外側に向かって光の透過率が徐々に変化するグラデーション部を備える。
【０００７】
前記グラデーション手段は、前記光源と前記スクリーンとの間の光路中に配置され、前記黒表示により前記スクリーン上に投写される黒表示領域の外縁部を規定する遮光部材と、前記液晶パネルに表示される画像の形態に応じて前記遮光部材を移動させる移動手段とを有し、前記遮光部材は、光の透過率が徐々に変化し、前記スクリーン上に投写される黒表示領域の外縁部の明るさを徐々に変化させるグラデーション部を備える構成とすることも可能である。
【０００８】
本発明の液晶パネルは、画像を光を利用してスクリーンに投写する投写型表示装置の前記画像の表示に用いられる液晶パネルであって、前記スクリーンに投写する画像を表示する画像表示可能領域を区画する遮光マスクを備え、前記遮光マスクは、前記画像表示可能領域を規定する内縁部から外側に向かって光の透過率が徐々に変化するグラデーション部を備える。
【０００９】
本発明では、液晶パネルに画像表示可能領域の一部に画像が表示され残りに黒表示された状態で画像がスクリーンに投写されると、液晶パネル上の画像および黒表示の双方がスクリーンに表示される。このとき、グラデーション手段は、黒表示によりスクリーン上に投写される黒表示領域の外縁部の明るさを徐々に変化させるため、黒表示領域の外縁部がぼやけ、当該外縁部におけるコントラストの差が緩和される。
また、液晶パネルにおけるスクリーンに投写する画像を表示する画像表示可能領域を区画する遮光マスクにグラデーション部を設けることにより、上記のグラデーション手段は実現される。
さらに、遮光マスクとは独立に、光源とスクリーンとの間の光路中に遮光部材を配置し、この遮光部材にグラデーション部を設け、液晶パネルに表示される画像の形態に応じて遮光部材を移動させることで、スクリーン上の黒表示領域が画像の形態に応じて整形されるとともに、外縁部がぼやけ当該外縁部におけるコントラストの差が緩和される。
【００１０】
【発明の実施の形態】
以下、本発明の実施の形態について図面を参照して説明する。
第１実施形態
図１は、本発明の一実施形態に係る投写型表示装置の概略構成を示す図である。
図１に示す投写型表示装置１は、光源２、インテグレータ光学系５、反射ミラー４，９，１１，１２、集光レンズ１０、ダイクロイックミラー６，７、液晶パネル２０Ｒ，２０Ｇ，２０Ｂ、偏光板２１Ｒ，２１Ｇ，２１Ｂ，２２Ｒ，２２Ｇ，２２Ｂ、ダイクロイックプリズム３０、投写光学系２５等から構成される。
【００１１】
光源２は、放電ランプ２ａおよび反射集光鏡２ｂから構成されており、この放電ランプ２ａから出射された光を反射集光鏡２ｂが集光して反射ミラー４に出射する。
【００１２】
反射ミラー４は、光源２からの照明光Ｌをインテグレータ光学系５に向けて反射する。
インテグレータ光学系５は、光源２からの照明光Ｌを全体としてＳ偏光成分を多く含む偏光方向の揃えられた照明光に変換して出力する。
集光レンズ１０は、インテグレータ光学系５を通過した照明光Ｌが液晶パネル２２Ｒ，２２Ｇ，２２Ｂにおいて重ね合わさるように集光する。
【００１３】
ダイクロイックミラー６は、インテグレータ光学系５を通過した照明光Ｌの光軸に対して４５度傾斜しており、照明光Ｌのうち赤色の波長領域の光ＬＲ　のみ反射ミラー１２に向けて反射し、その他の波長域の光ＬＧＢを透過する。
【００１４】
反射ミラー１１は、ダイクロイックミラー６で反射された光ＬＲ　の光軸に対して４５度傾斜しており、光ＬＲ　を液晶パネル２０Ｒに向けて反射する。
【００１５】
ダイクロイックミラー７は、ダイクロイックミラー６を透過した光ＬＧＢの光軸に対して４５度傾斜しており、光ＬＧＢのうち緑色の波長域の光ＬＧ　のみを液晶パネル２０Ｇに向けてインテグレータ光学系５を通過した照明光Ｌの光軸に対して４５度傾斜しており、照明光Ｌのうち緑色の波長領域の光ＬＧ　のみ液晶パネル２０Ｇに向けて反射し、その他の波長域の光ＬＢ　を透過する。
【００１６】
反射ミラー９および１１は、青色の波長域の光ＬＢ　を液晶パネル２０Ｂに向けて反射する。
【００１７】
液晶パネル２０Ｒ，２０Ｇ，２０Ｂは、立方体形状のダイクロイックプリズム３０の３つの側面に対して所定の位置にそれぞれ配置されている。
液晶パネル２０Ｒ，２０Ｇ，２０Ｂの入射側と出射側には、偏光子としての偏光板２１Ｒ，２１Ｇ，２１Ｂと、検光子としての偏光板２２Ｒ，２２Ｇ，２２Ｂがそれぞれ平行に配置されている。
【００１８】
液晶パネル２０Ｒ，２０Ｇ，２０Ｂは、各光ＬＲ　，ＬＧ　，ＬＢ　が全面的に入射され、当該液晶パネル２０Ｒ，２０Ｇ，２０Ｂに印加される赤色、緑色、青色の三原色に対応する映像信号によって各光ＬＲ　，ＬＧ　，ＬＢ　の強度を変調する。偏光板２１Ｒ，２１Ｇ，２１Ｂを透過した所定の偏光方向の色光ＬＲ　，ＬＧ　，ＬＢは、液晶パネル２０Ｒ，２０Ｇ，２０Ｂに印加された映像信号に基づき、偏光面が回転する偏光面の回転を受けた光の所定の偏光成分が、偏光板２２Ｒ，２２Ｇ，２２Ｂを透過し、ダイクロイックプリズム３０に入射される。
【００１９】
ダイクロイックプリズム３０は、たとえば、複数のガラスプリズムを接合することによって構成されており、各ガラスプリズムの接合面には、所定の光学特性を有する干渉フィルタ３０ａ，３０ｂが形成されている。
干渉フィルタ３０ａは、青色光ＬＢ　を反射し、赤色光ＬＲ　および緑色光ＬＧ　を透過する。干渉フィルタ３０ｂは、赤色光ＬＲ　を反射し、緑色光ＬＧ　および青色光ＬＢ　を透過する。
したがって、液晶パネル２０Ｒ，２０Ｇ，２０Ｂによって変調された各色光ＬＲ　，ＬＧ　，ＬＢ　は、合成されて投写光学系２８に入射する。
【００２０】
投写光学系２５は、たとえば、ダイクロイックプリズム３０から入射された映像光をスクリーンＳｃに向けて投写する。スクリーンＳｃには、カラー映像が映し出される。
【００２１】
図２は上記の液晶パネル２０Ｒ，２０Ｇ，２０Ｂの構造を示す平面図であり、図３は図２のＡ−Ａ線方向の断面図である。なお、図２は液晶パネル２０の入射側の平面図である。
図３に示すように、液晶パネル２０は、入射側基板６０と、出射側基板６１と、液晶６３とを有する。
入射側基板６０および出射側基板６１は、たとえば、透明なガラス基板で形成されており、入射側基板６０と出射側基板６１との間には、封止部材Ｓｐによって閉空間が形成されている。この閉空間に液晶６３が封入されている。
入射側基板６０および出射側基板６１の対向面には、図示しない透明電極やＴＦＴ（Ｔｈｉｎ　Ｆｉｌｍ　Ｔｒａｎｓｉｓｔｏｒ）素子が形成される。
【００２２】
入射側基板６０の表面の外周部には、遮光マスク５０が形成されている。
この遮光マスク５０は、入射側基板６０への光の入射を遮断する。液晶パネル２０の外周部には、各種の回路が形成されるため、これらの回路への光の入射を防ぐために遮光マスク５０は設けられている。
遮光マスク５０は、入射側基板６０の表面に金属膜を蒸着したり、印刷によって形成される。
【００２３】
遮光マスク５０の内周縁部には、全周にわたってグラデーション部５１が設けられている。液晶パネル２０のグラデーション部５１の内周で囲まれる領域は、スクリーンＳｃに投写される画像を表示可能な画像表示可能領域ＤＲである。すなわち、この画像表示可能領域ＤＲの範囲内で表示された画像のみが、スクリーンＳｃに投写される。
【００２４】
図４は、遮光マスク５０のグラデーション部５１の機能を説明するための断面図である。
図４に示すように、遮光マスク５０のグラデーション部５１以外の部分は、入射する光Ｌを完全に遮断して、入射側基板６０に入射させない。
一方、グラデーション部５１は、内周縁部５１ａ付近では、比較的大きな透過率を有し、内周縁部５１ａから遮光マスク５０の外周側に向かって光Ｌの透過率が徐々（連続的）に減少する。
グラデーション部５１は、たとえば、遮光マスク５０を金属の蒸着膜で形成し、グラデーション部５１の膜厚を内周縁部５１ａに向かって徐々に薄くすることにより、蒸着膜の厚さを徐々に変化させることにより形成可能である。
【００２５】
次に、上記構成の投写型表示装置１により画像をスクリーンＳｃに投写したときの作用について説明する。
図５は、上記の液晶パネル２０Ｒ，２０Ｇ，２０Ｂの画像表示状態の一例を示す図である。
図５において、画像ＩＭは、液晶パネル２０の遮光マスク５０で囲まれた画像表示可能領域ＤＲの全域を使用しておらず、画像表示可能領域ＤＲの内部領域に表示されている。
この画像ＩＭを囲む外周領域は全て黒表示ＢＬとなっている。画像ＩＭの外周を黒表示ＢＬとするのは、画像ＩＭの周囲から光が透過するのを防ぐためである。
【００２６】
図６は、図５に示す画像ＩＭがスクリーンＳｃに投写された状態を示す図である。
図５に示した液晶パネル２０の画像ＩＭは、液晶パネル２０に入射する各色光によってスクリーンＳｃに画像ＩＭｓとして映し出される。
このとき、画像ＩＭの外周領域の黒表示ＢＬは、光を完全には遮断することができないため、液晶パネル２０の黒表示ＢＬの領域を透過した光がスクリーンＳｃ上にある程度の明るさをもつ黒表示領域ＢＬｓとして映し出される。
黒表示領域ＢＬｓの外縁部ＢＬＥは、上記した遮光マスク５０のグラデーション部５１を透過した光によって構成される。
【００２７】
グラデーション部５１を上記の構成としたことにより、黒表示領域ＢＬｓの外縁部ＢＬＥは、外側に向かうにしたがって明るさが徐々に低下する。このため、黒表示領域ＢＬｓの外縁部ＢＬＥは、ぼやけた状態となり、大きなコントラスト差が発生しない。
黒表示領域ＢＬｓの外縁部ＢＬＥがぼやけていると、スクリーンＳｃに映し出された画像ＩＭｓを視聴したとき、黒表示領域ＢＬｓの外縁部ＢＬＥが目立たず、視聴者にとって目障りとならなくなり視覚の品位が向上する。
【００２８】
以上のように、本実施形態によれば、液晶パネル２０の外周部に設けた遮光マスク５０の内周縁部にグラデーション部５１を形成し、このグラデーション部５１によってスクリーンＳｃに映し出される黒表示領域ＢＬｓの外縁部ＢＬＥをぼかし、黒表示領域ＢＬｓの外縁部を目立たなくすることができる。
【００２９】
第２実施形態
図７は、本発明の他の実施形態に係る投写表示装置の概略構成を示す図である。
図７に示す投写表示装置１００と上述した第１の実施形態に係る投写表示装置１との間で異なる構成は、投写表示装置１００は各液晶パネル２０Ｒ，２０Ｇ，２０Ｂの入射側に遮光板８０Ｒ，８０Ｇ，８０Ｂをそれぞれ備えている点である。これらの遮光板８０Ｒ，８０Ｇ，８０Ｂは、それぞれ移動機構８５Ｒ，８５Ｇ，８５Ｂによって移動可能に支持されている。なお、投写表示装置１００と投写表示装置１の他の構成については同様の構成となっている。
【００３０】
図８は、上記の遮光板８０Ｒ，８０Ｇ，８０Ｂと液晶パネル２０Ｒ，２０Ｇ，２０Ｂとの関係を示す平面図である。なお、図８は液晶パネル２０の入射側の平面図であり、偏光板は省略している。
図８に示すように、遮光板８０は液晶パネル２０に対して上下に配置されており、液晶パネル２０の画面の縦方向に沿って上記した移動機構８５によって移動される。
【００３１】
遮光板８０は、たとえば、ガラス基板等の透明な基板に、蒸着や印刷等の方法によって遮光膜を形成したものである。
遮光板８０は、完全に光を遮断する遮光部８２と光の透過率が徐々に変化するグラデーション部８１とからなる。
グラデーション部８１は、上述した第１の実施形態におけるグラデーション部５１と同様の機能をもち、グラデーション部８１の端部付近において最も光の透過率が高く、遮光部８２側に向かうにしたがって光の透過率が徐々（連続的）に低くなっている。
【００３２】
液晶パネル２０の入射側基板の外周部には、遮光マスク１５０が設けられている。この遮光マスク１５０の内周縁１５０ａは、液晶パネル２０のスクリーンＳｃに投写される画像を表示可能な画像表示可能領域を区画している。なお、遮光マスク１５０の内周縁部には、第１の実施形態において説明したグラデーション部が存在しないが、グラデーション部を設ける構成とすることも可能である。
【００３３】
液晶パネル２０の画像表示可能領域ＤＲのアスペクト比が、たとえば４：３である場合に、図８に示すようなアスペクト比が１６：９の画像ＩＭを表示すると、画像表示可能領域ＤＲの画像ＩＭの上下領域は、黒表示ＢＬとなる。
この黒表示ＢＬからわずかに透過した光がスクリーンＳｃに投写されると、スクリーンＳｃ上ではかなり大きな面積を占める。また、遮光マスク１５０ａの内周縁によって形成される黒表示ＢＬからわずかに透過した光の外縁部は、スクリーンＳｃ上でハッキリと映し出される。
【００３４】
このため、本実施形態では、図８に示すような画像ＩＭが表示された場合には、図９に示すように、遮光板８０のグラデーション部８１を画像ＩＭの上下端の近傍まで移動する。遮光板８０の移動は、上記の移動機構８５が行う。
遮光板８０は、グラデーション部８１の端部が画像ＩＭに重ならないように、画像ＩＭの上下端に対してある程度余裕のある位置に位置決めする。このため、移動機構８５の位置決め精度はそれほど高くなくてもよい。
【００３５】
図１０は、図９に示した状態の液晶パネル２０の画像ＩＭがスクリーンＳｃに投写された状態を示す図である。
図１０に示すように、スクリーンＳｃに映し出された画像ＩＭｓの上下には、液晶パネル２０の外周領域の黒表示ＢＬを透過した光によって黒表示領域ＢＬｓがわずかに形成される。さらに、黒表示領域ＢＬｓの外縁部ＢＬＥは、遮光板８０のグラデーション部８１によってぼかされている。
【００３６】
以上のように、本実施形態によれば、液晶パネル２０の黒表示ＢＬへの光の入射を遮光板８０によって大部分遮断し、かつ、黒表示ＢＬを透過するわずかな光を遮光板８０のグラデーション部８１によってぼかしてスクリーンＳｃ上に投写するため、スクリーンＳｃ上に黒表示領域ＢＬｓが殆ど存在しなくなるとともに、黒表示領域ＢＬｓの外縁が目立たなくなる。
【００３７】
第３実施形態
上述した実施形態では、液晶パネル２０に表示した画像ＩＭがそのままの形でスクリーンＳｃに投写される場合について説明したが、投写型表示装置とスクリーンＳｃとが傾斜した関係にある場合には、表示画像が台形状に歪んでしまう。
この台形歪みを液晶パネル２０に表示した画像ＩＭの形状を補正することにより正しい形状にする技術が知られている。
【００３８】
たとえば、図１１に示すように、液晶パネル２０に表示する画像ＩＭをスクリーンＳｃ上で発生する台形歪みとは逆の台形状に補正する。このとき、画像ＩＭの両側は黒表示ＢＬにする。これにより、スクリーンＳｃ上の画像を正しい矩形状に調整する。
しかしながら、液晶パネル２０において上記の補正を行うと、スクリーンＳｃ上の画像ＩＭｓは、図１２に示すように、矩形状に調整されるが、液晶パネル２０の黒表示ＢＬを透過した光によってスクリーンＳｃ上に形成される黒表示領域ＢＬｓが画像ＩＭｓの両側に映し出されてしまい、目障りとなる。また、画像ＩＭｓと黒表示領域ＢＬｓを合わせた全体の形状が台形となってしまう。さらに、黒表示領域ＢＬｓの外縁部は、コントラストの差が大きく、さらにスクリーンＳｃの画像品位を低下させる原因となる。
【００３９】
本実施形態に係る投写型表示装置では、図１３に示すように、液晶パネル２０の黒表示ＢＬを遮光可能な遮光板１８０を液晶パネル２０の入射側に設ける。
この遮光板１８０は、回転機構１８５によって支軸１８６を中心に旋回可能に支持されている。
また、遮光板１８０の一端部には、グラデーション部１８１が形成されている。この遮光板１８０およびグラデーション部１８１の構成は、上述した第２の実施形態の遮蔽板８０と同様である。
【００４０】
遮光板１８０は、通常は鉛直方向に沿って配置されているが、液晶パネル２０において画像ＩＭを台形補正した場合には、図１３に示す位置まで旋回され、台形状に補正された画像ＩＭの両側の傾斜に沿った位置に位置決めされる。
【００４１】
図１４は、図１３に示した状態の液晶パネル２０の画像ＩＭがスクリーンＳｃに投写された状態を示す図である。
図１４に示すように、スクリーンＳｃに映し出された画像ＩＭｓの左右には、液晶パネル２０の台形補正された画像ＩＭの左右の黒表示ＢＬを透過した光によって形成される黒表示領域ＢＬｓが映し出されるが、面積はわずかとなる。また、画像ＩＭと黒表示領域ＢＬｓとを合わせた全体の外形が矩形状となり、台形ではないため違和感がない。さらに、黒表示領域ＢＬｓの外縁部ＢＬＥは、遮光板１８０のグラデーション部１８１によってぼかされている。
【００４２】
以上のように、本実施形態によれば、上述した第１および第２の実施形態と同様の効果に加えて、画像ＩＭを台形補正した場合にスクリーンＳｃ上に映し出される黒表示領域ＢＬｓを含めた画像全体の形状を矩形状に補正することができる。
【００４３】
本発明は上述した実施形態に限定されない。
上述した実施形態では、液晶パネルとして透過型のものを用いた投写型表示装置について説明したが、本発明は反射型の液晶パネルを用いた投写型表示装置にも適用可能である。反射型の液晶パネルの入射側基板に遮光マスクおよびグラデーション部を形成すればよい。
また、上述した実施形態では、遮光マスクを液晶パネルの入射側基板に形成した場合について説明したが、新たにガラス基板等の透明基板に遮光部とグラデーション部を形成して遮光マスクを構成してもよい。
また、上述した実施形態では、遮光板８０、１８０を各液晶パネル２０の入射側に配置したが、たとえば、集光レンズ１０の後方等に単一の遮光板を共通に配置する構成とすることも可能である。
【００４４】
【発明の効果】
本発明によれば、投写型表示装置の液晶パネルの表示可能領域の一部に画像を表示し、残りを黒表示とした場合に、スクリーン上に投写される黒色表示部分の視覚上の違和感を低減することができる。
【図面の簡単な説明】
【図１】本発明の一実施形態に係る投写型表示装置の概略構成を示す図である。
【図２】液晶パネル２０Ｒ，２０Ｇ，２０Ｂの構造を示す平面図である。
【図３】図２のＡ−Ａ線方向の断面図である。
【図４】遮光マスク５０のグラデーション部５１の機能を説明するための断面図である。
【図５】液晶パネル２０Ｒ，２０Ｇ，２０Ｂの画像表示状態の一例を示す図である。
【図６】図５に示す画像ＩＭがスクリーンＳｃに投写された状態を示す図である。
【図７】本発明の他の実施形態に係る投写表示装置の概略構成を示す図である。
【図８】遮光板８０Ｒ，８０Ｇ，８０Ｂと液晶パネル２０Ｒ，２０Ｇ，２０Ｂとの関係を示す平面図である。
【図９】遮光板８０のグラデーション部８１を液晶パネル２０の画像ＩＭの上下端の近傍まで移動させた状態を示す図である。
【図１０】図９に示した状態の液晶パネル２０の画像ＩＭがスクリーンＳｃに投写された状態を示す図である。
【図１１】液晶パネル２０に表示する画像ＩＭを台形歪み補正した状態を示す図である。
【図１２】台形歪み補正された液晶パネル２０の画像ＩＭをスクリーンに映し出した状態を示す図である。
【図１３】本発明のさらに他の実施形態における液晶パネルと遮光板との関係を示す図である。
【図１４】図１３に示した状態の液晶パネル２０の画像ＩＭがスクリーンＳｃに投写された状態を示す図である
【図１５】液晶パネルの表示可能領域への各種サイズの画像の表示例を示す図である。
【符号の説明】
１，１００…投写型表示装置、２…光源、２０…液晶パネル、５０…遮光マスク、５１…グラデーション部、６０…入射側基板、６１…出射側基板、６３…液晶、８０，１８０…遮光板、８１，１８１…グラデーション部、８５…移動機構、Ｓｃ…スクリーン、ＩＭ，ＩＭｓ…画像、ＢＬ…黒表示、ＢＬＥ…黒表示領域、ＤＲ…画像表示可能領域。
【図１】
2004029220.tif 000003
【図２】
2004029220.tif 000004
【図３】
2004029220.tif 000005
【図４】
2004029220.tif 000006
【図５】
2004029220.tif 000007
【図６】
2004029220.tif 000008
【図７】
2004029220.tif 000009
【図８】
2004029220.tif 000010
【図９】
2004029220.tif 000011
【図１０】
2004029220.tif 000012
【図１１】
2004029220.tif 000013
【図１２】
2004029220.tif 000014
【図１３】
2004029220.tif 000015
【図１４】
2004029220.tif 000016
【図１５】
2004029220.tif 000017